(57)【要約】【課題】  歩行を積極的に補助するものでも、筋力を増強するものでもなく、日常における、例えば散歩時に使用して快適な歩行を促す目的の歩行補助具を提供せんとする。【解決手段】  握り部２と、周囲へ膨出した表裏面３Ａ、３Ｂが形成されたバランス部３とを、連結ロッド４を介して構成した一対の用具１より成り、バランス部３の表裏面３Ａ、３Ｂが前後面となるように、用具１の握り部２を把持して腕を振ることで、歩行のバランスを良くすることを特徴とする。【選択図】  図１
2011200543.tif 000002
【特許請求の範囲】
【請求項１】
握り部と、周囲へ膨出した表裏面が形成されたバランス部とを、連結ロッドを介して構成した一対の用具より成り、バランス部の表裏面が前後面となるように、用具の握り部を把持して腕を振ることで、歩行のバランスを良くすることを特徴とする歩行補助具。
【請求項２】
バランス部の表裏面が連結ロッドに対して角度調節自在と成っていることを特徴とする請求項１記載の歩行補助具。
【請求項３】
バランス部の表裏面に反射作用をなす加工が施されていることを特徴とする請求項１又は２に記載の歩行補助具。
【請求項４】
バランス部に錘を着脱可能に設けたことを特徴とする請求項１乃至３のいずれかに記載の歩行補助具。
【請求項５】
連結ロッドの長さが長短調節自在と成っていることを特徴とする請求項１乃至４のいずれかに記載の歩行補助具。
【発明の詳細な説明】
【技術分野】
【０００１】
本発明は、歩行に於いて使用する補助具であって、歩行が軽やかに意欲的に行えるようにすることを目的とする。
【背景技術】
【０００２】
従来の歩行補助具は、歩行が困難な人の介助を目的としたものや、体力を補強するための運動であって、腕の筋力増強を目的としたものが殆んどである。
【０００３】
前者にあっては、杖状の構造のものや、車輪を有する装置に繋がって歩行を容易とするものである。
また、後者にあっては、アレー状のものを把持して腕に負荷をかけることによって筋力アップを図ろうとするものである。
【先行技術文献】
【特許文献】
【０００４】
【特許文献１】特開２００９−２６１４６４号公報
【特許文献２】特開２００８−２３７５９５号公報
【特許文献３】特開２００２−１１９６１１号公報
【特許文献４】特開平０９−１９２２５７号公報
【発明の概要】
【発明が解決しようとする課題】
【０００５】
そこで、本発明は歩行を積極的に補助するものでも、筋力を増強するものでもなく、日常における、例えば散歩時に使用して快適な歩行を促す目的の歩行補助具を提供せんとするものである。
【課題を解決するための手段】
【０００６】
本発明の請求項１に係る歩行補助具は、握り部と、周囲へ膨出した表裏面が形成されたバランス部とを、連結ロッドを介して構成した一対の用具より成り、バランス部の表裏面が前後面となるように、用具の握り部を把持して腕を振ることで、歩行のバランスを良くすることを特徴とするものである。
【０００７】
請求項２に係る歩行補助具の発明は、請求項１において、バランス部の表裏面が連結ロッドに対して角度調節自在と成っていることを特徴とするものである。
【０００８】
請求項３に係る歩行補助具の発明は、請求項１又は２において、バランス部の表裏面に反射作用をなす加工が施されていることを特徴とするものである。
【０００９】
請求項４に係る歩行補助具の発明は、請求項１乃至３のいずれかにおいて、バランス部に錘を着脱可能に設けたことを特徴とするものである。
【００１０】
請求項５に係る歩行補助具の発明は、請求項１乃至４のいずれかにおいて、連結ロッドの長さが長短調節自在と成っていることを特徴とするものである。
【発明の効果】
【００１１】
本発明の請求項１の歩行補助具は、握り部と、周囲へ膨出した表裏面が形成されたバランス部とを、連結ロッドを介して構成した一対の用具より成るものであるから、バランス部の表裏面が前後面となるように、各手に用具の握り部を把持して腕を振って歩くことで、歩行が容易となる効果を発揮する。
【００１２】
すなわち、両手に本発明の用具を持つことで歩行時の腕振りの意識が高まり、歩行バランスが良好に働くこととなり、また、当該用具は単純な構成であり重量もないため腕振りに支障とはならない効果を発揮するものである。
さらに、周囲へ膨出した表裏面が形成されたバランス部の表裏面が、前後面となるように把持するため、腕振りに伴ってバランス部の表裏面に空気抵抗が生じ、それが適度な刺激となって腕振りを意識的に行う効果が生じるのである。
【００１３】
請求項２の発明は、請求項１の効果に加え、バランス部の表裏面が連結ロッドに対して角度調節自在と成っているため、腕振りに伴ってバランス部の表裏面に生じる空気抵抗を、使用者に合わせて強弱に調整することができる効果を有する。
【００１４】
請求項３の発明は、請求項１又は２の効果に加え、バランス部の表裏面に反射作用をなす加工が施されているため、ドライバーはライトに反射する物体の揺動を前方及び後方からも看取でき、夜間や暗闇における歩行の安全性も確保できる効果を発揮する。
【００１５】
請求項４の発明は、請求項１乃至３の効果に加え、バランス部に錘を着脱可能に設けたものであるから、用具の重心や全体の重量を変えることができ、使用者の体力や体調によって、自由に調節できる効果を有する。
【００１６】
請求項５の発明は、請求項１乃至４の効果に加え、連結ロッドの長さが長短調節自在と成っているため、使用者の身長や好みに応じて自由に連結ロッドの長さを設定して用いることができる効果を有する。
【図面の簡単な説明】
【００１７】
【図１】本発明の歩行補助具の一実施の形態を示す平面図である。
【図２】図１の正面図である。
【図３】バランス部の他の実施の形態を示す縦断正面図である。
【図４】バランス部の他の実施の形態を示す縦断正面図である。
【図５】連結ロッドの他の実施の形態を示す縦断正面図である。
【発明を実施するための形態】
【００１８】
本発明の実施の一形態を図面に基づいて説明する。
図１は本発明の歩行補助具の一実施の形態を示す平面図、図２は同正面図であり、握り部２と、周囲へ膨出した表裏面３Ａ、３Ｂが形成されたバランス部３とを、連結ロッド４を介して構成し、この補助具１を１対として両手に夫々用いるものである。
【００１９】
握り部２は、バランス部３の表面３Ａと同一面（図１、２において平面）の連結ロッド４の基端に、半球状の突起部を形成して設けられており、この半球状の突起部を手の掌に当てて把持するものである。
又、連結ロッド４は直線状に限らず、曲線（湾曲、屈曲）としても良い。
【００２０】
バランス部３は、周囲へ膨出した表裏面３Ａ、３Ｂを有し、図面では矩形を成し、連結ロッド４の先端に連結している。
連結ロッド４の先端が二股状となった凹部４１にバランス部３の凸部３１が嵌合し、ボルト・ナット５でバランス部３の表裏面の方向（図２において上下方向）に回動可能に角度調節され、任意の角度で固定できるものとなっている。
【００２１】
各部の大きさ比率は、握り部２の長さは５ｃｍ、連結ロッド４は２５ｃｍ、そしてバランス部３は幅が１０ｃｍで長さが１５ｃｍ、全体の重さは２００ｇ程度が一例として挙げられる。
しかし、握り部２の形態、バランス部３の縦横の長さや比率或いは形状、全体の重量は使用者によって任意に設計されるものであり、後述のようにバランス部３の重量や連結ロッドの長さを積極的に変更できる構成とすることもできる。
【００２２】
バランス部３の表裏面３Ａ、３Ｂが前後面となるように、各手に用具の握り部２を把持して腕を振って歩くことで、歩行時の腕振りの意識が高まり、歩行バランスが良好に働き、周囲へ膨出した表裏面３Ａ、３Ｂが形成されたバランス部３３が、腕振りに伴ってバラン部３の表裏面３Ａ、３Ｂに空気抵抗が生じ、それが適度な刺激となって腕振りを意識的に行うようになる。
【００２３】
図３は、バランス部３の他の実施の形態を示す縦断正面図であり、バランス部３の表裏面３Ａ、３Ｂに反射作用をなす加工が施され、図３では反射シート６が全面に貼着してある。
反射シート６は表裏面３Ａ，３Ｂの適宜間隔で横方向に、又は他の模様に配置して貼着してもよいことはいうまでも無く、さらに他の方法で反射面を形成しても良い。
【００２４】
図４は、バランス部３の他の実施の形態を示す縦断正面図であり、バランス部３に錘７を着脱可能に設けたものである。
錘７は、１個が数ｇから１０ｇ程度の重さとし、表裏面３Ａ、３Ｂに同一の個数を係止片８により取り付ける。
係止片８は変形可能な逆Ｌ字型とし、強制的に押し開いて容易に着脱できるものとしてある。
【００２５】
錘７の重さや、係止片８の材質や形状は図面の実施態様に限定されるものではなく、錘７を収納した袋に面ファスナーを装着し、バランス部３の表裏面３Ａ、３Ｂの該当部にも面ファスナーを当着してもよく、また、マグネットを利用して着脱可能としても良く、マグネット自体を錘としてもよい。
さらに、バランス部３に開閉栓を有する密室空間を形成し、該空間内に錘となる石、砂や適宜粉・粒・固体を調節して封入するようにしても良い。
【００２６】
図５は、連結ロッド４の他の実施の形態を示す縦断正面図で、連結ロッド４の長さを長短調節可能とした一例を示すものである。
連結ロッド４を中間で分割した太細の２本の管体４Ａ、４Ｂで構成し、緩挿する分割側端部近傍において、一方の管体４Ａには一つの透孔４２を、他方の管体４Ｂには等間隔で複数の透孔４３が穿設してある。
そして、透孔４２と重合する透孔４３を選択してボルト・ナット５を用いて固定することによって連結ロッド４を長短長さに調節するものである。
【００２７】
以上、本発明を実施の形態に基づき具体的に説明したが、本発明は上記の実施形態に限定されるものではなく、発明の思想を逸脱することなく、本発明の特徴を有し同等の作用効果を発揮する連結具にも適用可能である。
【符号の説明】
【００２８】
１          補助具
２          握り部
３          バランス部
３Ａ        表面
３Ｂ        裏面
３１        凸部
４          連結ロッド
４１        凹部
４Ａ、４Ｂ  管体
４２、４３  透孔
５          ボルト・ナット
６          反射シート
７          錘
８          係止片
【図１】
2011200543.tif 000003
【図２】
2011200543.tif 000004
【図３】
2011200543.tif 000005
【図４】
2011200543.tif 000006
【図５】
2011200543.tif 000007
【手続補正書】
【提出日】平成22年6月24日(2010.6.24)
【手続補正１】
【補正対象書類名】明細書
【補正対象項目名】全文
【補正方法】変更
【補正の内容】
【発明の詳細な説明】
【技術分野】
【０００１】
本発明は、歩行に於いて使用する補助具であって、歩行が軽やかに意欲的に行えるようにすることを目的とする。
【背景技術】
【０００２】
従来の歩行補助具は、歩行が困難な人の介助を目的としたものや、体力を補強するための運動であって、腕の筋力増強を目的としたものが殆んどである。
【０００３】
前者にあっては、杖状の構造のものや、車輪を有する装置に繋がって歩行を容易とするものである。
また、後者にあっては、アレー状のものを把持して腕に負荷をかけることによって筋力アップを図ろうとするものである。
【先行技術文献】
【特許文献】
【０００４】
【特許文献１】特開２００９−２６１４６４号公報
【特許文献２】特開２００８−２３７５９５号公報
【特許文献３】特開２００２−１１９６１１号公報
【特許文献４】特開平０９−１９２２５７号公報
【発明の概要】
【発明が解決しようとする課題】
【０００５】
そこで、本発明は歩行を積極的に補助するものでも、筋力を増強するものでもなく、日常における、例えば散歩時に使用して快適な歩行を促す目的の歩行補助具を提供せんとするものである。
【課題を解決するための手段】
【０００６】
本発明の請求項１に係る歩行補助具は、握り部と、握り部よりも膨出した横幅を有する平板状のバランス部とを、連結ロッドを介して連結して構成した一対の用具より成り、バランス部の表裏面が前後面となるように用具の握り部を把持して腕を振ることで、バランス部の表裏面に空気抵抗が生じ歩行のバランスを良くすることを特徴とするものである。
【０００７】
請求項２に係る歩行補助具の発明は、請求項１において、バランス部が表裏面の方向に回動自在に連結ロッドと連結されていることを特徴とするものである。
【０００８】
請求項３に係る歩行補助具の発明は、請求項１又は２において、バランス部の表裏面に反射作用をなす加工が施されていることを特徴とするものである。
【０００９】
請求項４に係る歩行補助具の発明は、請求項１乃至３のいずれかにおいて、バランス部に錘を着脱可能に設けたことを特徴とするものである。
【００１０】
請求項５に係る歩行補助具の発明は、請求項１乃至４のいずれかにおいて、連結ロッドの長さが長短調節自在と成っていることを特徴とするものである。
【発明の効果】
【００１１】
本発明の請求項１の歩行補助具は、握り部と、握り部よりも膨出した横幅を有する平板状のバランス部とを、連結ロッドを介して構成した一対の用具より成るものであるから、バランス部の表裏面が前後面となるように、各手に用具の握り部を把持して腕を振って歩くことで、歩行が容易となる効果を発揮する。
【００１２】
すなわち、両手に本発明の用具を持つことで歩行時の腕振りの意識が高まり、歩行バランスが良好に働くこととなり、また、当該用具は単純な構成であり重量もないため腕振りに支障とはならない効果を発揮するものである。
さらに、握り部よりも膨出した横幅を有する平板状のバランス部の表裏面が、前後面となるように把持するため、腕振りに伴ってバランス部の表裏面に空気抵抗が生じ、それが適度な刺激となって腕振りを意識的に行う効果が生じるのである。
【００１３】
請求項２の発明は、請求項１の効果に加え、バランス部が表裏面の方向に回動自在に連結ロッドと連結されているため、腕振りに伴ってバランス部の表裏面に生じる空気抵抗を、使用者に合わせて角度調節をして強弱に調整することができる効果を有する。
【００１４】
請求項３の発明は、請求項１又は２の効果に加え、バランス部の表裏面に反射作用をなす加工が施されているため、ドライバーはライトに反射する物体の揺動を前方及び後方からも看取でき、夜間や暗闇における歩行の安全性も確保できる効果を発揮する。
【００１５】
請求項４の発明は、請求項１乃至３の効果に加え、バランス部に錘を着脱可能に設けたものであるから、用具の重心や全体の重量を変えることができ、使用者の体力や体調によって、自由に調節できる効果を有する。
【００１６】
請求項５の発明は、請求項１乃至４の効果に加え、連結ロッドの長さが長短調節自在と成っているため、使用者の身長や好みに応じて自由に連結ロッドの長さを設定して用いることができる効果を有する。
【図面の簡単な説明】
【００１７】
【図１】本発明の歩行補助具の一実施の形態を示す平面図である。
【図２】図１の正面図である。
【図３】バランス部の他の実施の形態を示す縦断正面図である。
【図４】バランス部の他の実施の形態を示す縦断正面図である。
【図５】連結ロッドの他の実施の形態を示す縦断正面図である。
【発明を実施するための形態】
【００１８】
本発明の実施の一形態を図面に基づいて説明する。
図１は本発明の歩行補助具の一実施の形態を示す平面図、図２は同正面図であり、握り部２と、周囲へ膨出した表裏面３Ａ、３Ｂが形成されたバランス部３とを、連結ロッド４を介して構成し、この補助具１を１対として両手に夫々用いるものである。
【００１９】
握り部２は、バランス部３の表面３Ａと同一面（図１、２において平面）の連結ロッド４の基端に、半球状の突起部を形成して設けられており、この半球状の突起部を手の掌に当てて把持するものである。
又、連結ロッド４は直線状に限らず、曲線（湾曲、屈曲）としても良い。
【００２０】
バランス部３は、握り部２よりも周囲へ膨出した表裏面３Ａ、３Ｂを有する平板状で、図面では矩形を成し、連結ロッド４の先端に連結している。
連結ロッド４の先端が二股状となった凹部４１にバランス部３の凸部３１が嵌合し、ボルト・ナット５でバランス部３の表裏面の方向（図２において上下方向）に回動可能に角度調節され、任意の角度で固定できるものとなっている。
【００２１】
各部の大きさ比率は、握り部２の長さは５ｃｍ、連結ロッド４は２５ｃｍ、そしてバランス部３は幅が１０ｃｍで長さが１５ｃｍ、全体の重さは２００ｇ程度が一例として挙げられる。
しかし、握り部２の長さやバランス部３の縦横の長さや比率或いは形状、全体の重量は使用者によって任意に設計されるものであり、後述のようにバランス部３の重量や連結ロッドの長さを積極的に変更できる構成とすることもできる。
【００２２】
バランス部３の表裏面３Ａ、３Ｂが前後面となるように、各手に用具の握り部２を把持して腕を振って歩くことで、歩行時の腕振りの意識が高まり、歩行バランスが良好に働き、周囲へ膨出した表裏面３Ａ、３Ｂが形成されたバランス部３３が、腕振りに伴ってバラン部３の表裏面３Ａ、３Ｂに空気抵抗が生じ、それが適度な刺激となって腕振りを意識的に行うようになる。
【００２３】
図３は、バランス部３の他の実施の形態を示す縦断正面図であり、バランス部３の表裏面３Ａ、３Ｂに反射作用をなす加工が施され、図３では反射シート６が全面に貼着してある。
反射シート６は表裏面３Ａ，３Ｂの適宜間隔で横方向に、又は他の模様に配置して貼着してもよいことはいうまでも無く、さらに他の方法で反射面を形成しても良い。
【００２４】
図４は、バランス部３の他の実施の形態を示す縦断正面図であり、バランス部３に錘７を着脱可能に設けたものである。
錘７は、１個が数ｇから１０ｇ程度の重さとし、表裏面３Ａ、３Ｂに同一の個数を係止片８により取り付ける。
係止片８は変形可能な逆Ｌ字型とし、強制的に押し開いて容易に着脱できるものとしてある。
【００２５】
錘７の重さや、係止片８の材質や形状は図面の実施態様に限定されるものではなく、錘７を収納した袋に面ファスナーを装着し、バランス部３の表裏面３Ａ、３Ｂの該当部にも面ファスナーを当着してもよく、また、マグネットを利用して着脱可能としても良く、マグネット自体を錘としてもよい。
さらに、バランス部３に開閉栓を有する密室空間を形成し、該空間内に錘となる石、砂や適宜粉・粒・固体を調節して封入するようにしても良い。
【００２６】
図５は、連結ロッド４の他の実施の形態を示す縦断正面図で、連結ロッド４の長さを長短調節可能とした一例を示すものである。
連結ロッド４を中間で分割した太細の２本の管体４Ａ、４Ｂで構成し、緩挿する分割側端部近傍において、一方の管体４Ａには一つの透孔４２を、他方の管体４Ｂには等間隔で複数の透孔４３が穿設してある。
そして、透孔４２と重合する透孔４３を選択してボルト・ナット５を用いて固定することによって連結ロッド４を長短長さに調節するものである。
【００２７】
以上、本発明を実施の形態に基づき具体的に説明したが、本発明は上記の実施形態に限定されるものではなく、発明の思想を逸脱することなく、本発明の特徴を有し同等の作用効果を発揮する連結具にも適用可能である。
【符号の説明】
【００２８】
１          補助具
２          握り部
３          バランス部
３Ａ        表面
３Ｂ        裏面
３１        凸部
４          連結ロッド
４１        凹部
４Ａ、４Ｂ  管体
４２、４３  透孔
５          ボルト・ナット
６          反射シート
７          錘
８          係止片
【手続補正２】
【補正対象書類名】特許請求の範囲
【補正対象項目名】全文
【補正方法】変更
【補正の内容】
【特許請求の範囲】
【請求項１】
握り部と、握り部よりも膨出した横幅を有する平板状のバランス部とを、連結ロッドを介して連結して構成した一対の用具より成り、バランス部の表裏面が前後面となるように用具の握り部を把持して腕を振ることで、バランス部の表裏面に空気抵抗が生じ歩行のバランスを良くすることを特徴とする歩行補助具。
【請求項２】
バランス部が表裏面の方向に回動自在に連結ロッドと連結されていることを特徴とする請求項１記載の歩行補助具。
【請求項３】
バランス部の表裏面に反射作用をなす加工が施されていることを特徴とする請求項１又は２に記載の歩行補助具。
【請求項４】
バランス部に錘を着脱可能に設けたことを特徴とする請求項１乃至３のいずれかに記載の歩行補助具。
【請求項５】
連結ロッドの長さが長短調節自在と成っていることを特徴とする請求項１乃至４のいずれかに記載の歩行補助具。
【手続補正書】
【提出日】平成22年9月16日(2010.9.16)
【手続補正１】
【補正対象書類名】明細書
【補正対象項目名】全文
【補正方法】変更
【補正の内容】
【発明の詳細な説明】
【技術分野】
【０００１】
本発明は、歩行に於いて使用する補助具であって、歩行が軽やかに意欲的に行えるようにすることを目的とする。
【背景技術】
【０００２】
従来の歩行補助具は、歩行が困難な人の介助を目的としたものや、体力を補強するための運動であって、腕の筋力増強を目的としたものが殆んどである。
【０００３】
前者にあっては、杖状の構造のものや、車輪を有する装置に繋がって歩行を容易とするものである。
また、後者にあっては、アレー状のものを把持して腕に負荷をかけることによって筋力アップを図ろうとするものである。
【先行技術文献】
【特許文献】
【０００４】
【特許文献１】特開２００９−２６１４６４号公報
【特許文献２】特開２００８−２３７５９５号公報
【特許文献３】特開２００２−１１９６１１号公報
【特許文献４】特開平０９−１９２２５７号公報
【発明の概要】
【発明が解決しようとする課題】
【０００５】
そこで、本発明は歩行を積極的に補助するものでも、筋力を増強するものでもなく、日常における、例えば散歩時に使用して快適な歩行を促す目的の歩行補助具を提供せんとするものである。
【課題を解決するための手段】
【０００６】
本発明の請求項１に係る歩行補助具は、握り部と、握り部よりも膨出した横幅を有する平板状のバランス部と、連結ロッドより成り、連結ロッドの一端に握り部を連結し、他端にバランス部の表裏面が表裏面の方向へ回動可能に、連結ロッドとバランス部の表裏面との角度が可変となるように連結して構成した一対の用具より成り、バランス部の表裏面が前後面となるように用具の握り部を把持して腕を振ることで、バランス部の表裏面に空気抵抗が生じて歩行のバランスを良くすることを特徴とするものである。
【０００７】
請求項２に係る歩行補助具の発明は、請求項１において、バランス部の表裏面に反射作用をなす加工が施されていることを特徴とするものである。
【０００８】
請求項３に係る歩行補助具の発明は、請求項１又は２のいずれかにおいて、バランス部に錘を着脱可能に設けたことを特徴とするものである。
【０００９】
請求項４に係る歩行補助具の発明は、請求項１乃至３のいずれかにおいて、連結ロッドの長さが長短調節自在と成っていることを特徴とするものである。
【発明の効果】
【００１０】
本発明の請求項１の歩行補助具は、握り部と、握り部よりも膨出した横幅を有する平板状のバランス部とを、連結ロッドを介して構成した一対の用具より成るものであるから、バランス部の表裏面が前後面となるように、各手に用具の握り部を把持して腕を振って歩くことで、歩行が容易となる効果を発揮する。
【００１１】
すなわち、両手に本発明の用具を持つことで歩行時の腕振りの意識が高まり、歩行バランスが良好に働くこととなり、また、当該用具は単純な構成であり重量もないため腕振りに支障とはならない効果を発揮するものである。
さらに、握り部よりも膨出した横幅を有する平板状のバランス部の表裏面が、前後面となるように把持するため、腕振りに伴ってバランス部の表裏面に空気抵抗が生じ、それが適度な刺激となって腕振りを意識的に行う効果が生じるのである。
【００１２】
さらに、バランス部の表裏面が表裏面の方向へ回動可能に連結ロッドと連結されているため、腕振りに伴ってバランス部の表裏面に生じる空気抵抗を、使用者に合わせて角度調節をして強弱に調整することができる効果を有する。
【００１３】
請求項２の発明は、請求項１の効果に加え、バランス部の表裏面に反射作用をなす加工が施されているため、ドライバーはライトに反射する物体の揺動を前方及び後方からも看取でき、夜間や暗闇における歩行の安全性も確保できる効果を発揮する。
【００１４】
請求項３の発明は、請求項１又は２の効果に加え、バランス部に錘を着脱可能に設けたものであるから、用具の重心や全体の重量を変えることができ、使用者の体力や体調によって、自由に調節できる効果を有する。
【００１５】
請求項４の発明は、請求項１乃至３の効果に加え、連結ロッドの長さが長短調節自在と成っているため、使用者の身長や好みに応じて自由に連結ロッドの長さを設定して用いることができる効果を有する。
【図面の簡単な説明】
【００１６】
【図１】本発明の歩行補助具の一実施の形態を示す平面図である。
【図２】図１の正面図である。
【図３】バランス部の他の実施の形態を示す縦断正面図である。
【図４】バランス部の他の実施の形態を示す縦断正面図である。
【図５】連結ロッドの他の実施の形態を示す縦断正面図である。
【発明を実施するための形態】
【００１７】
本発明の実施の一形態を図面に基づいて説明する。
図１は本発明の歩行補助具の一実施の形態を示す平面図、図２は同正面図であり、握り部２と、周囲へ膨出した表裏面３Ａ、３Ｂが形成されたバランス部３とを、連結ロッド４を介して構成し、この補助具１を１対として両手に夫々用いるものである。
【００１８】
握り部２は、バランス部３の表面３Ａと同一面（図１、２において平面）の連結ロッド４の基端に、半球状の突起部を形成して設けられており、この半球状の突起部を手の掌に当てて把持するものである。
【００１９】
バランス部３は、握り部２よりも周囲へ膨出した表裏面３Ａ、３Ｂを有する平板状で、図面では矩形を成し、連結ロッド４の先端に連結してある。
連結ロッド４の先端が二股状となった凹部４１にバランス部３の凸部３１が嵌合し、ボルト・ナット５でバランス部３の表裏面の方向（図２において上下方向、握り部２の把持時における前後方向）へ回動可能に角度調節され、任意の角度で固定できるものとなっている。
【００２０】
各部の大きさ比率は、握り部２の長さは５ｃｍ、連結ロッド４は２５ｃｍ、そしてバランス部３は幅が１０ｃｍで長さが１５ｃｍ、全体の重さは２００ｇ程度が一例として挙げられる。
しかし、握り部２の長さやバランス部３の縦横の長さや比率或いは形状、全体の重量は使用者によって任意に設計されるものであり、後述のようにバランス部３の重量や連結ロッドの長さを積極的に変更できる構成とすることもできる。
【００２１】
バランス部３の表裏面３Ａ、３Ｂが前後面となるように、各手に用具の握り部２を把持して腕を振って歩くことで、歩行時の腕振りの意識が高まり、歩行バランスが良好に働き、周囲へ膨出した表裏面３Ａ、３Ｂが形成されたバランス部３３が、腕振りに伴ってバラン部３の表裏面３Ａ、３Ｂに空気抵抗が生じ、それが適度な刺激となって腕振りを意識的に行うようになる。
【００２２】
図３は、バランス部３の他の実施の形態を示す縦断正面図であり、バランス部３の表裏面３Ａ、３Ｂに反射作用をなす加工が施され、図３では反射シート６が全面に貼着してある。
反射シート６は表裏面３Ａ，３Ｂの適宜間隔で横方向に、又は他の模様に配置して貼着してもよいことはいうまでも無く、さらに他の方法で反射面を形成しても良い。
【００２３】
図４は、バランス部３の他の実施の形態を示す縦断正面図であり、バランス部３に錘７を着脱可能に設けたものである。
錘７は、１個が数ｇから１０ｇ程度の重さとし、表裏面３Ａ、３Ｂに同一の個数を係止片８により取り付ける。
係止片８は変形可能な逆Ｌ字型とし、強制的に押し開いて容易に着脱できるものとしてある。
【００２４】
錘７の重さや、係止片８の材質や形状は図面の実施態様に限定されるものではなく、錘７を収納した袋に面ファスナーを装着し、バランス部３の表裏面３Ａ、３Ｂの該当部にも面ファスナーを当着してもよく、また、マグネットを利用して着脱可能としても良く、マグネット自体を錘としてもよい。
さらに、バランス部３に開閉栓を有する密室空間を形成し、該空間内に錘となる石、砂や適宜粉・粒・固体を調節して封入するようにしても良い。
【００２５】
図５は、連結ロッド４の他の実施の形態を示す縦断正面図で、連結ロッド４の長さを長短調節可能とした一例を示すものである。
連結ロッド４を中間で分割した太細の２本の管体４Ａ、４Ｂで構成し、緩挿する分割側端部近傍において、一方の管体４Ａには一つの透孔４２を、他方の管体４Ｂには等間隔で複数の透孔４３が穿設してある。
そして、透孔４２と重合する透孔４３を選択してボルト・ナット５を用いて固定することによって連結ロッド４を長短長さに調節するものである。
【００２６】
以上、本発明を実施の形態に基づき具体的に説明したが、本発明は上記の実施形態に限定されるものではなく、発明の思想を逸脱することなく、本発明の特徴を有し同等の作用効果を発揮する連結具にも適用可能である。
【符号の説明】
【００２７】
１          補助具
２          握り部
３          バランス部
３Ａ        表面
３Ｂ        裏面
３１        凸部
４          連結ロッド
４１        凹部
４Ａ、４Ｂ  管体
４２、４３  透孔
５          ボルト・ナット
６          反射シート
７          錘
８          係止片
【手続補正２】
【補正対象書類名】特許請求の範囲
【補正対象項目名】全文
【補正方法】変更
【補正の内容】
【特許請求の範囲】
【請求項１】
握り部と、握り部よりも膨出した横幅を有する平板状のバランス部と、連結ロッドより成り、連結ロッドの一端に握り部を連結し、他端にバランス部の表裏面が表裏面の方向へ回動可能に、連結ロッドとバランス部の表裏面との角度が可変となるように連結して構成した一対の用具より成り、バランス部の表裏面が前後面となるように用具の握り部を把持して腕を振ることで、バランス部の表裏面に空気抵抗が生じて歩行のバランスを良くすることを特徴とする歩行補助具。
【請求項２】
バランス部の表裏面に反射作用をなす加工が施されていることを特徴とする請求項１に記載の歩行補助具。
【請求項３】
バランス部に錘を着脱可能に設けたことを特徴とする請求項１又は２に記載の歩行補助具。
【請求項４】
連結ロッドの長さが長短調節自在と成っていることを特徴とする請求項１乃至３のいずれかに記載の歩行補助具。
【手続補正書】
【提出日】平成22年10月21日(2010.10.21)
【手続補正１】
【補正対象書類名】明細書
【補正対象項目名】全文
【補正方法】変更
【補正の内容】
【発明の詳細な説明】
【技術分野】
【０００１】
本発明は、歩行に於いて使用する補助具であって、歩行が軽やかに意欲的に行えるようにすることを目的とする。
【背景技術】
【０００２】
従来の歩行補助具は、歩行が困難な人の介助を目的としたものや、体力を補強するための運動であって、腕の筋力増強を目的としたものが殆んどである。
【０００３】
前者にあっては、杖状の構造のものや、車輪を有する装置に繋がって歩行を容易とするものである。
また、後者にあっては、アレー状のものを把持して腕に負荷をかけることによって筋力アップを図ろうとするものである。
【先行技術文献】
【特許文献】
【０００４】
【特許文献１】特開２００９−２６１４６４号公報
【特許文献２】特開２００８−２３７５９５号公報
【特許文献３】特開２００２−１１９６１１号公報
【特許文献４】特開平０９−１９２２５７号公報
【発明の概要】
【発明が解決しようとする課題】
【０００５】
そこで、本発明は歩行を積極的に補助するものでも、筋力を増強するものでもなく、日常における、例えば散歩時に使用して快適な歩行を促す目的の歩行補助具を提供せんとするものである。
【課題を解決するための手段】
【０００６】
本発明の請求項１に係る歩行補助具は、握り部と、握り部よりも膨出した横幅を有する平板状のバランス部と、連結ロッドより成り、連結ロッドの上端に握り部を連結する一方、下端にはバランス部を連結すると共に、この連結部においてバランス部の横幅方向を軸として、バランス部の平板面が連結ロッドに対して角度調節自在に固定できる一対の用具であって、バランス部の平板面が前後面となるように用具の握り部を把持して腕を振ることで、バランス部の平板面に連結ロッドとの角度に応じた空気抵抗が生じて歩行のバランスを良くすることを特徴とするものである。
【０００７】
請求項２に係る歩行補助具の発明は、請求項１において、バランス部の平板面に反射作用をなす加工が施されていることを特徴とするものである。
【０００８】
請求項３に係る歩行補助具の発明は、請求項１又は２のいずれかにおいて、バランス部に錘を着脱可能に設けたことを特徴とするものである。
【０００９】
請求項４に係る歩行補助具の発明は、請求項１乃至３のいずれかにおいて、連結ロッドの長さが長短調節自在と成っていることを特徴とするものである。
【発明の効果】
【００１０】
本発明の請求項１の歩行補助具は、握り部と、握り部よりも膨出した横幅を有する平板状のバランス部とを、連結ロッドを介して構成した一対の用具より成るものであるから、バランス部の平板面が前後面となるように、各手に用具の握り部を把持して腕を振って歩くことで、歩行が容易となる効果を発揮する。
【００１１】
すなわち、両手に本発明の用具を持つことで歩行時の腕振りの意識が高まり、歩行バランスが良好に働くこととなり、また、当該用具は単純な構成であり重量もないため腕振りに支障とはならない効果を発揮するものである。
さらに、握り部よりも膨出した横幅を有する平板状のバランス部の平板面が、前後面となるように把持するため、腕振りに伴ってバランス部の平板面に空気抵抗が生じ、それが適度な刺激となって腕振りを意識的に行う効果が生じるのである。
【００１２】
さらに、バランス部が連結部においてバランス部の横幅方向を軸として、バランス部の平板面が連結ロッドに対して角度調節自在に固定できるため、腕振りに伴ってバランス部の平板面に生じる空気抵抗を、使用者に合わせて角度調節をして強弱に調整することができる効果を有する。
【００１３】
請求項２の発明は、請求項１の効果に加え、バランス部の平板面に反射作用をなす加工が施されているため、ドライバーはライトに反射する物体の揺動を前方及び後方からも看取でき、夜間や暗闇における歩行の安全性も確保できる効果を発揮する。
【００１４】
請求項３の発明は、請求項１又は２の効果に加え、バランス部に錘を着脱可能に設けたものであるから、用具の重心や全体の重量を変えることができ、使用者の体力や体調によって、自由に調節できる効果を有する。
【００１５】
請求項４の発明は、請求項１乃至３の効果に加え、連結ロッドの長さが長短調節自在と成っているため、使用者の身長や好みに応じて自由に連結ロッドの長さを設定して用いることができる効果を有する。
【図面の簡単な説明】
【００１６】
【図１】本発明の一実施の形態を示す歩行補助具を倒して横方向に表示した正面図である。
【図２】図１の側面図である。
【図３】バランス部の他の実施の形態を示す要部断面図である。
【図４】バランス部の他の実施の形態を示す要部断面図である。
【図５】連結ロッドの他の実施の形態を示す要部断面図である。
【発明を実施するための形態】
【００１７】
本発明の実施の一形態を図面に基づいて説明する。
図１は本発明の一実施の形態を示す歩行補助具を倒して横方向に表示した正面図、図２は同側面図であり、握り部２と、周囲へ膨出した平板面３Ａ、３Ｂが形成されたバランス部３とを、連結ロッド４を介して構成し、この補助具１を１対として両手に夫々用いるものである。
【００１８】
握り部２は、バランス部３の表面側の平板面３Ａと同一面（図１、２において平面）の連結ロッド４の上端に、半球状の突起部を形成して設けられており、この半球状の突起部を手の掌に当てて把持するものである。
【００１９】
バランス部３は、握り部２よりも周囲へ膨出した平板面３Ａ、３Ｂを有する平板状で、図面では矩形を成し、連結ロッド４の下端に連結してある。
両部材の連結は、連結ロッド４の下端が二股状となった凹部４１にバランス部３の基端の凸部３１が嵌合し、ボルト・ナット５を挿通して係止することで、バランス部３の横幅方向を軸として、バランス部３がロッド４に対して回動可能（図２において上下方向、握り部２の把持時における前後方向）に角度調節され、バランス部３の平板面３Ａ、３Ｂが連結ロッド４に対して任意の角度で固定できるものとなっている。
【００２０】
各部の大きさ比率は、握り部２の長さは５ｃｍ、連結ロッド４は２５ｃｍ、そしてバランス部３は幅が１０ｃｍで長さが１５ｃｍ、全体の重さは２００ｇ程度が一例として挙げられる。
しかし、握り部２の長さやバランス部３の縦横の長さや比率或いは形状、全体の重量は使用者によって任意に設計されるものであり、後述のようにバランス部３の重量や連結ロッドの長さを積極的に変更できる構成とすることもできる。
【００２１】
バランス部３の平板面３Ａ、３Ｂが前後面となるように、各手に用具の握り部２を把持して腕を振って歩くことで、歩行時の腕振りの意識が高まり、歩行バランスが良好に働き、腕振りに伴ってバランス部３の周囲へ膨出した平板面３Ａ、３Ｂに連結ロッドとの角度に応じた空気抵抗が生じ、それが適度な刺激となって腕振りを意識的に行うようになる。
【００２２】
図３は、バランス部３の他の実施の形態を示す要部断面図であり、バランス部３の平板面３Ａ、３Ｂに反射作用をなす加工が施され、図３では反射シート６が全面に貼着してある。
反射シート６は平板面３Ａ，３Ｂの適宜間隔で横方向に、又は他の模様に配置して貼着してもよいことはいうまでも無く、さらに他の方法で反射面を形成しても良い。
【００２３】
図４は、バランス部３の他の実施の形態を示す要部断面図であり、バランス部３に錘７を着脱可能に設けたものである。
錘７は、１個が数ｇから１０ｇ程度の重さとし、平板面３Ａ、３Ｂに同一の個数を係止片８により取り付ける。
係止片８は変形可能な逆Ｌ字型とし、強制的に押し開いて容易に着脱できるものとしてある。
【００２４】
錘７の重さや、係止片８の材質や形状は図面の実施態様に限定されるものではなく、錘７を収納した袋に面ファスナーを装着し、バランス部３の平板面３Ａ、３Ｂの該当部にも面ファスナーを当着してもよく、また、マグネットを利用して着脱可能としても良く、マグネット自体を錘としてもよい。
さらに、バランス部３に開閉栓を有する密室空間を形成し、該空間内に錘となる石、砂や適宜粉・粒・固体を調節して封入するようにしても良い。
【００２５】
図５は、連結ロッド４の他の実施の形態を示す要部断面図で、連結ロッド４の長さを長短調節可能とした一例を示すものである。
連結ロッド４を中間で分割した太細の２本の管体４Ａ、４Ｂで構成し、緩挿する分割側端部近傍において、一方の管体４Ａには一つの透孔４２を、他方の管体４Ｂには等間隔で複数の透孔４３が穿設してある。
そして、透孔４２と重合する透孔４３を選択してボルト・ナット５を用いて固定することによって連結ロッド４を長短長さに調節するものである。
【００２６】
以上、本発明を実施の形態に基づき具体的に説明したが、本発明は上記の実施形態に限定されるものではなく、発明の思想を逸脱することなく、本発明の特徴を有し同等の作用効果を発揮する連結具にも適用可能である。
【符号の説明】
【００２７】
１          補助具
２          握り部
３          バランス部
３Ａ        平板面（表面）
３Ｂ        平板面（裏面）
３１        凸部
４          連結ロッド
４１        凹部
４Ａ、４Ｂ  管体
４２、４３  透孔
５          ボルト・ナット
６          反射シート
７          錘
８          係止片
【手続補正２】
【補正対象書類名】特許請求の範囲
【補正対象項目名】全文
【補正方法】変更
【補正の内容】
【特許請求の範囲】
【請求項１】
握り部と、握り部よりも膨出した横幅を有する平板状のバランス部と、連結ロッドより成り、連結ロッドの上端に握り部を連結する一方、下端にはバランス部を連結すると共に、この連結部においてバランス部の横幅方向を軸として、バランス部の平板面が連結ロッドに対して角度調節自在に固定できる一対の用具であって、バランス部の平板面が前後面となるように用具の握り部を把持して腕を振ることで、バランス部の平板面に連結ロッドとの角度に応じた空気抵抗が生じて歩行のバランスを良くすることを特徴とする歩行補助具。
【請求項２】
バランス部の平板面に反射作用をなす加工が施されていることを特徴とする請求項１に記載の歩行補助具。
【請求項３】
バランス部に錘を着脱可能に設けたことを特徴とする請求項１又は２に記載の歩行補助具。
【請求項４】
連結ロッドの長さが長短調節自在と成っていることを特徴とする請求項１乃至３のいずれかに記載の歩行補助具。